(57)【要約】      （修正有）【課題】従来の包装容器では、テープを切断するときにカッター等の刃で収納物を損傷させないように設けた突起部は、下フラップ同士の先端部間の隙間に嵌り込む長さにしなければならず、突起部の側部と下フラップの先端部との間に隙間が生じてしまい、テープの切断はカッターなど幅のあるもので行なうとは限らず、千枚通しや釘など先端が尖っているもので行なわれると、収納物が損傷する問題があったため、収納物の損傷を回避する包装容器を提供する。【解決手段】対向する幅面３に延設した下フラップ３１に、対向する長さ面２に延設した上フラップ２１を折り重ね、両上フラップにテープ４を架け渡して封緘する構造の箱体において、一方のフラップの先端側中央部に凸部２２、他方の上フラップの先端側中央部に該凸部が嵌り込む凹部３２を形成した構造であって、該凸部及び凹部は、封緘時における各下フラップに重なる位置に設ける。【選択図】図１
2013091510.tif 000002
【特許請求の範囲】
【請求項１】
対向する幅面に延設した下フラップに、対向する長さ面に延設した上フラップを折り重ね、両上フラップにテープを架け渡して封緘する構造の箱体において、一方のフラップの先端側中央部に凸部、他方の上フラップの先端側中央部に該凸部が嵌り込む凹部を形成した構造であって、該凸部及び凹部は、封緘時における各下フラップに重なる位置に設けたことを特徴とする包装容器。
【請求項２】
凸部及び凹部は、三角形である請求項１記載の包装容器。
【発明の詳細な説明】
【技術分野】
【０００１】
本発明は、テープを切断することによって開梱する場合の、収納物の保護を目的とした包装容器の改良に関する。
【背景技術】
【０００２】
梱包用の包装容器としては、段ボール箱が広く利用されており、特に、周面を構成する幅面と長さ面の上下にそれぞれフラップを延設して天面と底面を形成する、いわゆるＡ型の段ボール箱が一般的である。
【０００３】
このような段ボール箱を封緘する場合、対向する幅面から延設した下フラップに、対向する長さ面から延設した上フラップを折り重ね、該上フラップ同士を粘着テープで封緘する方法が広く行なわれている。
【０００４】
粘着テープで封緘された段ボール箱は、粘着テープをカッター等で上フラップ間の隙間に沿って切断することによって開梱されている。しかし、一般的な段ボール箱は直方体形状であり、下フラップ同士の先端部間に隙間が生じている場合が多く、粘着テープの切断時に上記隙間にカッターの刃が入り込んで収納物やその包装袋などを損傷してしまうことがあった。
【０００５】
このようなことから、特許文献１に開示されている包装容器では、一方の上フラップの先端縁に突起部を設けることにより、カッターの刃が下フラップ同士の先端部間の隙間に入り込まないようにして、開梱時に収納物に傷が付かないようにしている。
【先行技術文献】
【特許文献】
【０００６】
【特許文献１】特開２０１０−０５２７５０
【発明の概要】
【発明が解決しようとする課題】
【０００７】
特許文献１の包装容器は、一方の上フラップに突起部を設けただけであるため、構造的に突起部を他方の上フラップの下に位置させる必要があり、この面（天面及び／又は底面）に段差が生じやすくなる。この点、特許文献１の包装容器は、突起部の両側基部に切れ込みを設けて対処しているものの、突起部を基部で確実に折曲させなければ段差が生じてしまう問題がある。特に、下フラップ同士の先端部間の隙間が長くなると、突起部もこれに応じて長くしなければならないため、基部から折曲させることが難しく、段差が生じたり歪な面となって荷崩れの原因や商品価値の低下に繋がる。
【０００８】
また、特許文献１の包装容器では、突起部は下フラップ同士の先端部間の隙間に嵌り込む長さにしなければならない。このため、突起部の側部と下フラップの先端部との間には隙間が生じることになる。粘着テープで封緘された段ボール箱を開梱する場合、粘着テープの切断はカッターなど幅のあるもので行なうとは限らず、千枚通しや釘など先端が尖っている身近にあるもので行なわれる場合が多く、僅かな隙間でもあると抵抗なく刺し込んでしまう可能性があり、収納物の損傷に繋がることになる。
【課題を解決するための手段】
【０００９】
そこで本発明者は上記問題に鑑み鋭意研究の結果、本発明を成し得たものであり、その特徴とするところは、対向する幅面に延設した下フラップに、対向する長さ面に延設した上フラップを折り重ね、両上フラップにテープを架け渡して封緘する構造の箱体において、一方のフラップの先端側中央部に凸部、他方の上フラップの先端側中央部に該凸部が嵌り込む凹部を形成した構造であって、該凸部及び凹部は、封緘時における各下フラップに重なる位置に設けたことにある。
【００１０】
ここで、本明細書中でいう「箱体」とは、段ボール、厚紙、プラスチックシート、プラスチック段ボールなどの板材を折り曲げて箱体に組み立てたものをいう。本発明における箱体としては、４面で周面を構成し、周面の上端と下端の少なくともいずれか一方から延設したフラップで蓋や底を形成する構造であればよい。
【００１１】
蓋や底を形成する構造は、周面を構成する幅と深さで囲まれた対向する幅面から延設したフラップを下フラップとし、周面を構成する長さと深さで囲まれた対向する長さ面から延設したフラップを上フラップとして、各下フラップに各上フラップを折り重ねて形成する。本発明では、折り重ねた両上フラップの先端部に粘着テープなどのテープを架け渡して封緘する場合の包装容器をいう。
【００１２】
「凸部及び凹部」とは、上フラップの先端側中央部に形成する凹凸状の部分であり、封緘時に段差を生じさせることなく相互に嵌り込む形状であればよい。本発明においては、凸部及び凹部は封緘時に各下フラップに重なる位置に設ける。これは、開梱するとき、上フラップ先端部間の隙間に沿ってカッター等を刺し込んでテープを切断するが、下フラップがない部分にカッター等が至る前に、カッター等の刃が凸部に当たり、深く刺し込ませないようにするためである。凸部の突出長さは、約１０mmから５０mm程度あればよく、下フラップに重なる長さは、材料の種類や厚みによるが３mm程度あればよい。
【００１３】
本発明では、テープを切断するために、上フラップの端から端までカッター等を直線的に走らせても、下フラップがない部分に凸部を設けることで、カッター等から収納物を保護することを基本としている。ただ、本発明の構造では、凸部を設けた部分でテープを直線的に切断しても、凸部にテープが貼り付いたままとなる問題がある。
【００１４】
しかしこの問題は、テープ切断後のテープと凸部との接着面積が小さいため、上フラップを開きながら凸部からテープを剥がしたり、テープを破断することができ、ほとんど問題なく開梱することができる。このためには、凸部を三角形や円弧状などに形成することで、矩形に比し接着面積をより小さくでき、上フラップを開きながらテープを破断させることも容易となる。
【００１５】
また、凸部の機能として、テープを切断しながら下フラップがない部分に至ることを知らしめて注意を喚起する機能があることから、カッター等の刃が凸部に至った時点で刃を深く刺し込まないように注意しながら凸部に沿ってテープを切断することもできる。
【発明の効果】
【００１６】
本発明に係る包装容器は、各下フラップに重なる位置に、各上フラップの先端側中央部に相互に嵌り込む凹凸部を形成したことにより、開梱時にテープを切断するときのカッター等の刺し込みを防止することができる。特に、下フラップが存在しない部分を凸部で完全に覆っているため、千枚通しなど先端が尖ったものでも突き刺す隙間が全くなく、どのような器具でテープを切断しても収納物の損傷を確実に防止することが可能となる。
【００１７】
また、一方の上フラップに設けた凸部は、他方の上フラップに設けた凹部に嵌り込むため、蓋や底に段差が生じず、荷崩れを防止でき、包装容器としての美観も損なわないなど実用上極めて有益な効果を有するものである。
【図面の簡単な説明】
【００１８】
【図１】本発明に係る包装容器の一実施例を示す斜視図である。（実施例１）
【図２】図１に示した包装容器のブランクシートである。
【図３】図１に示した包装容器のテープを切断して開梱する状態を示す斜視図である。
【図４】（ａ）（ｂ）は、それぞれ本発明に係る包装容器の他の実施例を示す平面図である。（実施例２）
【発明を実施するための形態】
【００１９】
本発明は、各下フラップに各上フラップを折り重ねて、両上フラップにテープを架け渡して封緘する構造の箱体において、各上フラップの先端側中央部に相互に嵌り込む凸部と凹部を形成した構造であって、該凸部及び凹部は、封緘時における各下フラップに重なる位置に設けたことにより、上述した課題を解決した。
【実施例１】
【００２０】
図１は、本発明に係る包装容器１の一実施例を示すもので、図２はそのブランクシートであり、各部の寸法を表示している。この包装容器１は、長さ面２と幅面３をそれぞれ対向位置に配して周面を構成し、各長さ面２の上下に上フラップ２１、各幅面３の上下に下フラップ３１を延設した構造である。本例では、蓋を形成する両上フラップ２１の一方に凸部２２、他方に該凸部２２が嵌り込む凹部３２を先端側中央部に設けている。
【００２１】
凸部２２の突出長さは１５mmであり、封緘時に下フラップ３１と１０mm重なる幅にしている。また、本例では、凸部２２の突出方向のセンタが幅面４のセンタと合致するように、蓋を構成する上フラップ２１及び下フラップ３１の長さ（長さ面２及び幅面３から突出する方向の長さ）を設定している。
【００２２】
上フラップの先端側中央部に凸部２２を設けたことにより、図３に示すように封止したテープ４を切断して開梱するとき、カッターＣで上フラップ同士の先端側接合部の溝に沿って刃を入れても、下フラップ３１が存在しない箇所でも刃を刺し込むことができず、収納物を保護することができる。また、凸部２２は凹部３２に嵌め込まれるため、段差が生じることはない、
【００２３】
カッターＣでテープ４を直線状に切断した後は、上フラップ２１を開きながら凸部２２からテープ４を剥がすように、若しくはテープ４を破断するようにして開梱する。また、凸部２２に沿ってカッターＣの刃を深く刺し込まないようにしてテープ４を切断してもよい。
【実施例２】
【００２４】
凸部２２及び凹部３２の形状は、矩形の他図４（ａ）のように三角形や同図（ｂ）のように円弧にしてもよい。要は、カッターＣで上フラップ同士の先端側接合部の溝に沿って、一気に直線状に刃を入れても、刃が下フラップ３１が存在しない部分に至らないように突出させたものであればよい。
【符号の説明】
【００２５】
１  包装容器
２  長さ面
２１  上フラップ
２２  凸部
３  幅面
３１  下フラップ
３２  凹部
４  テープ
【図１】
2013091510.tif 000003
【図２】
2013091510.tif 000004
【図３】
2013091510.tif 000005
【図４】
2013091510.tif 000006